(57)【要約】  【課題】本発明は、単葉の用紙とするためのミシン線が形成された連続用紙を当該ミシン線で断裁する連続用紙断裁装置関し、連続用紙を確実に単葉に断裁し、後処理で安定した処理を可能とさせることを目的とする。  【解決手段】第１ローラ部２１と第２ローラ部２２との間にカッタ２４が配置され、センサ２３からの検出信号に基づいて、ミシン線がカッタ２４に達するときのタイミングで当該第２ローラ部２２の回転速度Ｖ２を第１ローラ部の回転速度Ｖ１より一時速くさせて断裁を行わせ、断裁後に当該第２ローラ部の回転速度を当該第１ローラ部の回転速度Ｖ１と同一とさせて単葉の用紙１６として排出させる構成とする。  【選択図】  図４
2008126355.tif 000002
【特許請求の範囲】
【請求項１】
所定の搬送手段で搬送される連続用紙に所定間隔でミシン線が形成され、当該ミシン線を断裁することで単葉の用紙とする連続用紙断裁装置であって、
搬送される前記連続用紙上のミシン線で断裁させるタイミングを決定するために当該連続用紙の所定部分を検出する検出手段と、
上下一対のローラで構成され、搬送されてくる前記連続用紙をロール移送する第１ローラ部と、
上下一対のローラで構成され、前記第１ローラ部より移送されてきた前記連続用紙の先端が到来したときに、当該連続用紙にテンションを付与する第２ローラ部と、
前記第１ローラ部と第２ローラ部との間に配置され、前記ミシン線が到来したときに断裁のきっかけを与える断裁補助手段と、
前記第１ローラ部及び第２ローラ部の回転速度を制御するものであり、前記検出手段から検出信号に基づいて、前記連続用紙上のミシン線が断裁補助手段に達するときのタイミングで当該第２ローラ部の回転速度を第１ローラ部の回転速度より一時速くさせて断裁を行わせ、断裁後に当該第２ローラ部の回転速度を当該第１ローラ部の回転速度と同一とさせて単葉の用紙として排出させる制御手段と、
を有することを特徴とする連続用紙断裁装置。
【発明の詳細な説明】
【技術分野】
【０００１】
本発明は、単葉の用紙とするためのミシン線が形成された連続用紙を当該ミシン線で断裁する連続用紙断裁装置に関する。
【背景技術】
【０００２】
近年、連続用紙上に単葉の帳票等とするためのミシン線が形成され、それぞれのミシン線区分毎に所定の印刷を行った後に当該ミシン線で断裁して単葉とすることが一般的に行われてきている。この種の連続用紙断裁装置で断裁された単葉の帳票は、単葉とされた後に所定の区分け等の後処理を行う場合には、当該装置からの排出速度は遅い方が望ましい。
【０００３】
従来、連続用紙断裁装置においては、連続用紙から単葉とする基本的な手法が、例えば以下の特許文献で開示されている。すなわち、所定間隔にミシン線が設けられた連続用紙を移送する上下一対のインフィードローラと、当該インフィードローラよりも高速回転する上下一対のハイスピードローラとを備え、当該インフィードローラとハイスピードローラとの間にミシン線で断裁するきっかけを与えるカッタを備える構成であり、回転の速度差によってミシン線がカッタの部分に移送されたときに断裁されるというものである。このような断裁手法においても、さらにフィックス方式とトラバース方式とが知られている。
【０００４】
【特許文献１】特許第２８４９６４４号公報
【０００５】
そこで、図５に従来の連続用紙断裁装置におけるフィックス方式の説明図を示すと共に、図６に従来の連続用紙断裁装置におけるトラバース方式の説明図を示す。図５に示す連続用紙断裁装置は、上下一対のインフィードローラ１０１と、上下一対のハイスピードローラ１０２が配置され、その間に断裁のきっかけを与えるカッタ１０３と用紙ガイド部１０４とが配置されたもので、インフィードローラ１０１の上ローラ１０１Ａ及びハイスピードローラ１０２の上ローラ１０２Ａが上下動自在とされたものである。
【０００６】
すなわち、図５（Ａ）に示すように、連続用紙１０５が所定の移送手段で移送されて先端がハイスピードローラ１０２に至る前においてはインフィードローラ１０１の上ローラ１０１Ａ及びハイスピードローラ１０２の上ローラ１０２Ａが上方に位置される。このときにはインフィードローラ１０１の各ローラは例えば回転速度Ｖ１で回転され、ハイスピードローラ１０２の各ローラは回転速度Ｖ１より高速のＶ２で回転される。
【０００７】
そして、図５（Ｂ）に示すように、連続用紙１０５の先端がハイスピードローラ１０２上に達して、インフィードローラ１０１の上ローラ１０１Ａ及びハイスピードローラ１０２の上ローラ１０２Ａが下降してそれぞれ下ローラと当接したときに、連続用紙１０５には回転の速度差でテンションが加えられ、ミシン線がカッタ１０３の位置で当該テンションによって断裁され、単葉の用紙としてハイスピードローラ１０２より速度Ｖ２で排出されるものである。
【０００８】
また、図６に示すトラバース方式は、それぞれの上ローラは上下動せずに、常に下ローラと当接状態で回転（インフィードローラ１０１はＶ１、ハイスピードローラ１０２はＶ２であって、Ｖ１＜Ｖ２）され、カッタ１０３のカット位置から、ハイスピードローラ１０２の当接位置までの距離は、用紙を断裁する長さにセットされている。これによって移送される連続用紙１０５の先端が、ハイスピードローラ１０２に達すると、それぞれのローラの回転速度の差によってテンションが加えられ、且つ、連続用紙１０５のミシン線がカッタ１０３の位置となることにより断裁され、単葉の用紙としてハイスピードローラ１０２より速度Ｖ２で排出されるものである。
【発明の開示】
【発明が解決しようとする課題】
【０００９】
しかしながら、上記各方式においても、ハイスピードローラ１０２より排出される単葉の用紙は高速（速度Ｖ２）であり、上記特許文献のようにハイスピードローラ１０２より後段に搬入ガイドベルトがあるような場合にはさほどの問題はないが、区分け装置等の後処理機を配設させた場合には、当該排出速度Ｖ２よりさらに速い速度で処理を行わなければならず、単葉用紙の暴れ等が惹起されて処理が不安定となるという問題がある。
【００１０】
そこで、本発明は上記課題に鑑みなされたもので、連続用紙を確実に単葉に断裁し、後処理で安定した処理を可能とさせる連続用紙断裁装置を提供することを目的とする。
【課題を解決するための手段】
【００１１】
上記課題を解決するために、本発明では、所定の搬送手段で搬送される連続用紙に所定間隔でミシン線が形成され、当該ミシン線を断裁することで単葉の用紙とする連続用紙断裁装置であって、搬送される前記連続用紙上のミシン線で断裁させるタイミングを決定するために当該連続用紙の所定部分を検出する検出手段と、上下一対のローラで構成され、搬送されてくる前記連続用紙をロール移送する第１ローラ部と、上下一対のローラで構成され、前記第１ローラ部より移送されてきた前記連続用紙の先端が到来したときに、当該連続用紙にテンションを付与する第２ローラ部と、前記第１ローラ部と第２ローラ部との間に配置され、前記ミシン線が到来したときに断裁のきっかけを与える断裁補助手段と、前記第１ローラ部及び第２ローラ部の回転速度を制御するものであり、前記検出手段から検出信号に基づいて、前記連続用紙上のミシン線が断裁補助手段に達するときのタイミングで当該第２ローラ部の回転速度を第１ローラ部の回転速度より一時速くさせて断裁を行わせ、断裁後に当該第２ローラ部の回転速度を当該第１ローラ部の回転速度と同一とさせて単葉の用紙として排出させる制御手段と、を有する構成とする。
【発明の効果】
【００１２】
本発明によれば、第１ローラ部と第２ローラ部との間に断裁補助手段が配置され、検出手段からの検出信号に基づいて、ミシン線が断裁補助手段に達するときのタイミングで当該第２ローラ部の回転速度を第１ローラ部の回転速度より一時速くさせて断裁を行わせ、断裁後に当該第２ローラ部の回転速度を当該第１ローラ部の回転速度と同一とさせて単葉の用紙として排出させる構成とすることにより、単葉の用紙の排出速度を遅くさせることが可能となって、排出される単葉の用紙に対する後処理において暴れ等を防止することができ、安定した後処理を行わせることができるものである。
【発明を実施するための最良の形態】
【００１３】
以下、本発明の最良の実施形態を図により説明する。
図１に、本発明に係る連続用紙断裁装置が適用される帳票作製システムの構成説明図を示す。図１（Ａ）は帳票作製システムの概略構成図、図１（Ｂ）は使用される連続用紙の説明図である。図１（Ａ）において、帳票作製システムは、印刷装置１１から出力される後段に搬送装置（例えば、搬送トラクタ）１２が配置され、その後段に本発明に係る連続用紙断裁装置１３が配置される。当該連続用紙断裁装置１３の後段に、後処理機としての例えば区分け装置１４が配置されるもので、連続用紙１５が印刷装置１１にセットされる。
【００１４】
連続用紙１５は、図１（Ｂ）に示すように、幅方向の両側部にマージナル部１５Ａ，１５Ｂが形成され、当該マージナル部１５Ａ，１５Ｂに搬送孔が所定数形成される。この搬送孔が搬送装置（搬送トラクタ）１２で係合されて搬送される。当該連続用紙１５には、上記マージナル部１５Ａ，１５Ｂを含めて、所定間隔でミシン線１５Ｃが形成されている。このミシン線１５Ｃで区分される部分が後に単葉の用紙１６となる。
【００１５】
連続用紙断裁装置１３は、詳細を図２で説明するが、第１ローラ部２１と第２ローラ部２２を備え、第１ローラ部２１の前段に検出手段であるセンサ２３が配置される。また、第１ローラ部２１と第２ローラ部２２との間には断裁補助手段であるカッタ２４が配置される。
【００１６】
すなわち、上記帳票作製システムでは、インクジェットプリンタのような印刷装置１１において、連続用紙１５の単葉の用紙となる領域に、例えば複数の顧客に対する明細情報のような可変情報が印刷され、当該印刷装置１１より出力された連続用紙１５が搬送装置（搬送トラクタ）１２で連続用紙断裁装置１３に搬送される。連続用紙断裁装置１３では、当該連続用紙１５のミシン線１５Ｃ毎に断裁して単葉の用紙１６とし、区分け装置１４に排出するもので、区分け装置１４では例えば顧客毎に重ね、区分けを行うものである。
【００１７】
そこで、図２に、本発明に係る連続用紙断裁装置の拡大構成図を示す。図２において、連続用紙断裁装置１３は、第１ローラ部２１が上下一対の下ローラ２１Ａ及び上ローラ２１Ｂで構成され、搬送装置１２から搬送されてくる連続用紙を後段の第２ローラ部２２にロール移送する。下ローラ２１Ａの回転軸にはプーリ３１が設けられ、第１サーボモータ３２の回転軸（回転プーリ）に回転ベルト３３により回転力が伝達される。
【００１８】
また、第２ローラ部２２は、上下一対の下ローラ２２Ａ及び上ローラ２２Ｂで構成され、第１ローラ部２１より移送されてきた連続用紙１５の先端が到来したときに、当該連続用紙１５にテンションを付与する。下ローラ２２Ａの回転軸にはプーリ３４が設けられ、第２サーボモータ３５の回転軸（回転プーリ）に回転ベルト３６により回転力が伝達される。これら、第１ローラ部２１及び第２ローラ部２２を回転させる第１サーボモータ３２及び第２サーボモータ３５は、図３で示す制御手段であるコントローラで回転速度が制御される。
【００１９】
上記第１ローラ部２１の前段には検出手段であるセンサ２３が配置される。当該センサ２３は、印刷装置１１より搬送されてくる連続用紙１５の最初の先端位置を検出すると共に、連続用紙１５の後端（用紙切れ）を検出するものである。連続用紙１５に形成されるミシン線１５Ｃの間隔と搬送装置１２による搬送速度とは予め既知であり、当該センサ２３で先端位置を検出することで、当該ミシン線１５Ｃがカッタ２４の先端に、若しくは先端の直前に順次達する時間が認識され、第２ローラ２２の回転制御のタイミングが決定される。なお、第２ローラ部２２の回転制御のタイミングを計るセンサとして、後述のカッタ２４の位置と第２ローラ部２２との間に設けて、連続用紙１５の先端を順次検出させ、当該検出信号を入力してから所定時間後に当該第２ローラ部２２を回転制御させることとしてもよい。
【００２０】
また、上記第１ローラ部２１と第２ローラ部２２との間に配置され、前記ミシン線が到来したときに断裁のきっかけを与える断裁補助手段であるカッタ２４が配置される。このカッタ２４の先端（連続用紙１５と当接する部分）は、第１ローラ部２１と第２ローラ部２２との間で水平な用紙保持当接部間に対して、下方に位置されることで連続用紙１５の先端が第２ローラ部２２で当接保持されたときに断裁に適したテンションを付与させる役割をなす。
【００２１】
また、カッタ２４は、断裁当接より第１ローラ部２１の方向に延出部２４Ａが一体で形成される。この延出部２４Ａは、第１ローラ部２１より連続用紙１５の先端部分が移送されたときに、当該先端部分を下方に導くガイドの役割をなす。そして、上記カッタ２４の下方には、ガイド部３７が配置される。このガイド部３７は、連続用紙１５の先端をカッタ２４の用紙当接部分である先端部分から第２ローラ部２２に導く役割をなすものである。
【００２２】
ここで、図３に、図２の連続用紙断裁装置の回転速度制御の説明図を示す。図３（Ａ）はコントローラの一例のブロック構成図、図３（Ｂ）は第２サーボモー第１ローラ部２１及び第２ローラ部２２の回転速度を制御するものであり、検出センサ２３から検出信号に基づいて、連続用紙１５上のミシン線１５Ｃがカッタ２４に達するときのタイミングで当該第２ローラ部２２の回転速度を第１ローラ部２１の回転速度より一時速くさせて断裁を行わせ、断裁後に当該第２ローラ部２２の回転速度を当該第１ローラ部２１の回転速度と同一とさせて単葉の用紙１６として排出させるもので、少なくとも第１サーボモータ制御部４２及び第２サーボモータ制御部４３を備える。ここで、「連続用紙１５上のミシン線１５Ｃがカッタ２４に達するとき」とは、ミシン線１５Ｃが第１ローラ部２１（第１サーボモータ３２の回転速度Ｖ１）からの移送によりカッタ２４の先端に、若しくは先端の直前に達するときをいう。なお、図１に示す帳票作製システムに適用させる場合、このコントローラ４１に上記搬送装置１１を制御する搬送制御部を含ませてもよい。
【００２３】
上記第１サーボモータ制御部４２は、第１サーボモータ３２の回転速度を制御するためのもので、ここでは常に回転速度Ｖ１で制御する。上記第２サーボモータ制御部４３は、検出センサ２３からの連続用紙１５の最初の先端位置を検出した検出信号に基づいて、所定タイミング毎に第２サーボモータ３５の回転速度を制御するためのもので、ここでは、第１サーボモータの回転速度と同一の回転速度Ｖ１と、回転速度Ｖ１より速い回転速度Ｖ２（例えば、Ｖ１の１．５倍〜２倍）との２段階で制御する。すなわち、第１サーボモータ３２及び第２サーボモータ３５の回転速度を制御することで、こられと回転ベルト３３，３６で回転される第１ローラ部２１及び第２ローラ部２２の回転速度が制御されるものである。
【００２４】
上記第２サーボモータ制御部４３は、連続用紙１５のミシン線１５Ｃがカッタ２４に達するときの上記タイミングで第２サーボモータ３５の回転速度を第１サーボモータ３２の回転速度Ｖ１より一時速くさせたＶ２とさせて断裁を行わせ、断裁後に当該第２サーボモータ３５の回転速度Ｖ２を第１サーボモータ３２の回転速度Ｖ１と同一とさせて単葉の用紙１６として第２ローラ部２２より排出させるものである。
【００２５】
ここで、検出センサ２３からの連続用紙１５の最初の先端位置を検出した検出信号に基づく第２サーボモータ３５に対する回転速度の制御は、図３（Ｂ）に示すように、第２サーボモータ３５に対して回転速度を、センサ２３から連続用紙１５の最初の先端を検出した検出信号を入力したときより、所定時間Ｔ１までは第１サーボモータ３２と同一の回転速度Ｖ１で制御し、所定時間Ｔ１に達したときに第２サーボモータ３５を一定時間ｔだけ回転速度を第１サーボモータ３２の回転速度Ｖ１より速いＶ２に制御する。上記所定時間Ｔ１は、連続用紙１５の最初のミシン線１５Ｃが第１ローラ部２１（第１サーボモータ３２の回転速度Ｖ１）からの移送によりカッタ２４の先端に、若しくは先端の直前に達する時間であり、第１ローラ部２１とカッタ２４の先端位置までの距離と移送速度が既知であることから容易に設定することができる。
【００２６】
したがって、第２サーボモータ３５の回転速度をＶ１からＶ２にさせることで当該カッタ２４部分によりミシン線１５Ｃで断裁される。すなわち、第２サーボモータ３５を第１サーボモータ３２より高速回転されている時間ｔ内で断裁が行われ、断裁後に第２サーボモータ３５の回転速度を第１サーボモータ３２の回転速度Ｖ１と同一に制御させることにより、断裁された単葉の用紙１６を、第１サーボモータ３２の回転速度Ｖ１と同一の速度で第２ローラ部２２より排出させるものである。
【００２７】
そして、第２サーボモータ３５への最初の高回転制御から所定時間間隔Ｔ２で、連続用紙１５の次の先端が第２ローラ部２２に達すると共に、次のミシン線１５Ｃがカッタ２４の先端に、若しくは先端の直前に達することとなり、第２サーボモータ３５の回転速度をＶ１からＶ２として一時速くさせる制御を繰り返して断裁をおこなっていくものである。なお、第２ローラ部２２の配置位置として、カッタ２４の先端部分からの距離Ｌは、最小Ｌ＝Ｖ１×ｔとすることができ、前述のトラバース方式（少なくとも単葉用紙の長さ分が必要）より小型化を図ることができるものである。
【００２８】
そこで、図４に、図２の連続用紙断裁装置における断裁状態の説明図を示す。図４（Ａ）において、まず、第１ローラ部２１（第１サーボモータ３２）と第２ローラ部２２（第２サーボモータ３５）とは、共に回転速度Ｖ１で制御されており、搬送装置１１より搬送されてきた連続用紙１５が第１ローラ部２１により回転速度Ｖ１でロール移送されることとなる。この第１ローラ部２１でロール移送される連続用紙１５の先端は、カッタ２４の延出部２４Ａで規制されて当該カッタ２４の先端部分に導かれ、さらにガイド部３７と当接して当該ガイド部３７に沿って第２ローラ部２２側に導かれる。
【００２９】
続いて、図４（Ｂ）に示すように、センサ２３からの連続用紙１５の最初の先端位置を検出した検出信号に基づいて、第１ローラ部２１でロール移送された連続用紙１５の先端部分が第２ローラ部２２に達し、また次のミシン線１５Ｃがカッタ２４の先端に、若しくは先端の直前に達するタイミングで第２ローラ部２２の回転速度を一定時間ｔだけ第１ローラ部２１の回転速度Ｖ１より速いＶ２に制御することで当該カッタ２４部分によりミシン線１５Ｃで断裁されて単葉の用紙１６とされる。
【００３０】
続いて、図４（Ｃ）に示すように、断裁後に第２ロール部２２の回転速度が第１ロール部２１の回転速度Ｖ１と同一に制御されることにより、断裁された単葉の用紙１６が、第１ロール部２１の回転速度Ｖ１と同一の速度で第２ローラ部２２より排出させることとなる。そして、図４（Ａ）〜（Ｃ）が繰り返されるものである。
【００３１】
このように、連続用紙１５のミシン線１５Ｃで速度差により確実に断裁できると共に、第２ローラ部２２より単葉の用紙１６の排出速度を遅くさせることができることから、これによって排出される単葉の用紙１６に対する区分け等の後処理において暴れ等を防止することができ、安定した後処理を行わせることができるものである。なお、本発明は、上述のフィックス方式、トラバース方式の何れにも適用させることができるものである。
【産業上の利用可能性】
【００３２】
本発明の連続用紙断裁装置は、連続用紙からミシン線によって単葉の用紙に断裁する加工機産業に利用可能である。
【図面の簡単な説明】
【００３３】
【図１】本発明に係る連続用紙断裁装置が適用される帳票作製システムの構成説明図である。
【図２】本発明に係る連続用紙断裁装置の拡大構成図である。
【図３】図２の連続用紙断裁装置の回転速度制御の説明図である。
【図４】図２の連続用紙断裁装置における断裁状態の説明図である。
【図５】従来の連続用紙断裁装置におけるフィックス方式の説明図である。
【図６】従来の連続用紙断裁装置におけるトラバース方式の説明図である。
【符号の説明】
【００３４】
１１            印刷装置
１２            搬送装置
１３            連続用紙断裁装置
１４            区分け装置
１５            連続用紙
１６            単葉の用紙
２１            第１ローラ部
２２            第２ローラ部
２３            センサ
２４            カッタ
３３            第１サーボモータ
３４            第２サーボモータ
４１            コントローラ
【図１】
2008126355.tif 000003
【図２】
2008126355.tif 000004
【図３】
2008126355.tif 000005
【図４】
2008126355.tif 000006
【図５】
2008126355.tif 000007
【図６】
2008126355.tif 000008